(57)【要約】【課題】ファインダ光学系に可動反射面を有する撮像装置において、当該可動反射面の角度を安定させることが可能な技術を提供する。【解決手段】撮像装置は、ファインダ光学系に含まれる可動反射面の角度を変更して、可動反射面における観察用光束の反射角度を変更する角度変更機構を備える。観察用光束の進路は、当該反射角度の変更によって、ファインダ窓に向かう第１の光路と撮像素子に向かう第２の光路との間で切り換えられる。角度変更機構は、スライド部材９１が第１の期間に移動するときには、スライド部材９１の接触部９１ｇが回転体９２の接触部９２１ｃの接触区間９２１ｅに接触しつつ移動するとともに回転体９２が所定軸ＢＸ１周りに回転する。その後、スライド部材９１が第２の期間に移動するときには、回転体９２の回転角度が一定値に維持された状態で接触部９１ｇが接触区間９２１ｆに接触しつつＺ方向に更に移動する。【選択図】図１８
2009180922.tif 000002
【特許請求の範囲】
【請求項１】
撮像装置であって、
撮影光学系からの光束であって主反射面で反射された光束である観察用光束をファインダ窓へと導くファインダ光学系と、
前記観察用光束を受光して画像信号を生成する撮像素子と、
前記ファインダ光学系に含まれる可動反射面の角度を変更して、前記可動反射面における前記観察用光束の反射角度を変更する角度変更機構と、
を備え、
前記観察用光束の進路は、前記反射角度の変更によって、前記可動反射面で反射されて前記ファインダ窓に向かう第１の光路と、前記可動反射面で反射されて前記撮像素子に向かう第２の光路との間で切り換えられ、
前記角度変更機構は、
所定方向に移動するスライド部材と、
前記スライド部材の前記所定方向における所定区間の移動動作に応じて所定軸周りに回動する回転体と、
前記回転体の前記所定軸周りの回動動作に応じて前記所定方向に移動し、前記可動反射面の角度を変更する連結部材と、
を有し、
前記スライド部材が第１の期間に移動するときには、前記スライド部材に設けられた第１の接触部が、前記回転体に設けられた第２の接触部の第１の接触区間であって前記所定方向に斜行する第１の接触区間に接触しつつ前記所定方向に移動するとともに、前記回転体が前記所定軸周りに回転し、
前記スライド部材が前記第１の期間の後の第２の期間に移動するときには、前記回転体の回転角度が一定値に維持された状態で、前記第１の接触部が前記第２の接触部の第２の接触区間に接触しつつ前記所定方向に更に移動することを特徴とする撮像装置。
【請求項２】
請求項１に記載の撮像装置において、
前記回転体は、
前記第１の接触区間を有する第１の回転部材と、
第１の弾性部材を用いて前記第１の回転部材に弾性結合された第２の回転部材と、
を有し、
前記スライド部材から前記第１の回転部材へと伝達された操作力は、さらに前記第１の弾性部材および前記第２の回転部材を介して前記連結部材へと伝達されることを特徴とする撮像装置。
【請求項３】
請求項１に記載の撮像装置において、
前記ファインダ窓からの外光を遮断する開閉式の遮光板、
をさらに備え、
前記遮光板は、前記回転体が前記所定軸周りに回転する際に、前記回転体の一部に接触しつつ移動することによって開閉されることを特徴とする撮像装置。
【請求項４】
請求項２に記載の撮像装置において、
前記ファインダ窓からの外光を遮断する開閉式の遮光板、
をさらに備え、
前記回転体は、
第２の弾性部材を用いて前記第１の回転部材に弾性結合された第３の回転部材、
をさらに有し、
前記スライド部材から前記第１の回転部材へと伝達された操作力は、さらに前記第２の弾性部材および前記第３の回転部材を介して前記遮光板へと伝達され、前記遮光板は、前記第３の回転部材に接触して開閉されることを特徴とする撮像装置。
【請求項５】
請求項１に記載の撮像装置において、
前記第２の期間においては、前記第１の接触部と前記第２の接触部の前記第２の接触区間とのうちの少なくとも一方が、前記所定方向に平行であることを特徴とする撮像装置。
【請求項６】
請求項１に記載の撮像装置において、
前記回転体は、前記第２の期間において前記所定方向に略平行になる平坦部を有し、
前記第１の接触部は、前記第２の期間において前記平坦部に接触しつつ前記所定方向に移動することを特徴とする撮像装置。
【請求項７】
請求項１に記載の撮像装置において、
前記第１の接触部は、前記所定方向に略平行な平坦部を有し、前記第２の期間においては当該平坦部を前記回転体に接触させつつ前記所定方向に移動することを特徴とする撮像装置。
【請求項８】
請求項１に記載の撮像装置において、
前記回転体が所定角度回転すると、前記第２の接触部の前記第２の接触区間が前記所定方向に平行になり、前記第１の接触部は、前記第２の期間において、前記所定方向に平行な前記第２の接触区間に接触しつつ前記所定方向に更に移動することを特徴とする撮像装置。
【請求項９】
請求項１に記載の撮像装置において、
前記可動反射面は、前記ファインダ光学系のペンタミラーに含まれる複数の反射面のうちの１つの反射面であることを特徴とする撮像装置。
【発明の詳細な説明】
【技術分野】
【０００１】
本発明は、デジタルカメラなどの撮像装置に関する。
【背景技術】
【０００２】
一眼レフレックスタイプのカメラ（一眼レフカメラとも称する）において、ライブビュー機能（被写体に関する時系列の画像を順次に液晶表示部等に表示する機能、換言すれば被写体の画像を動画的態様で液晶表示部等に表示する機能）を搭載する技術が存在する。
【０００３】
例えば、特許文献１のカメラにおいては、撮像用（静止画像記録用）の撮像素子とは別個のライブビュー用の撮像素子がファインダー光学系の近傍に設けられている。また、接眼レンズ付近のファインダー光路中に当該光路に対して進退可能な可動反射ミラーが設けられている。そして、この反射ミラーがファインダー光路に対して進退することによって、被写体からの観察用光束が接眼レンズへ向かう状況と、被写体からの観察用光束がライブビュー用の撮像素子へ到達する状況とが選択的に切り換えられる。当該カメラにおいては、ライブビュー用の撮像素子へと導かれた光像を用いてライブビュー機能が実現される。
【０００４】
【特許文献１】特開２００１−１３３８４６号公報
【発明の開示】
【発明が解決しようとする課題】
【０００５】
ところで、本願発明者を含む開発グループは、上述の特許文献１に記載の技術とは異なる態様でライブビュー機能を実現する撮像装置（詳細には一眼レフカメラ）を開発している。
【０００６】
この撮像装置は、具体的には、ファインダ光学系内の或る反射面（例えばペンタミラー内の或る反射面）を可動部材（可動反射面）として備え、当該可動反射面の角度を通常角度と変更角度との間で変更することによって、当該可動反射面で反射した観察用光束の進行先を変更するものである。詳細には、可動反射面が通常角度を有するときには、当該可動反射面で反射した観察用光束はファインダ窓へと進行する。一方、可動反射面が変更角度を有するときには、当該可動反射面で反射した観察用光束はライブビュー用の撮像素子へと進行する。なお、両角度の切換は、例えば、操作者による操作ボタンの直進移動操作に応じて行われる。
【０００７】
このような可動反射面の角度変更によってライブビュー表示を行う際には、可動反射面の角度を正確に決定することが好ましい。
【０００８】
しかしながら、このような可動反射面の角度を正確に決定することは容易ではない。
【０００９】
例えば、操作ボタンの直進移動に応じてミラー角度を徐々に変更し、操作ボタンがその可動範囲の終端部分に到達したときに、可動反射面がちょうど所定角度（上記の変更角度）に到達するように構成することが考えられる。
【００１０】
ところが、このような構成を採用する場合には、操作ボタンが何らかの要因によって微少量でも移動すると、可動反射面の角度が変化してしまう。すなわち、可動反射面の角度が不安定になる。
【００１１】
そこで、この発明の課題は、ファインダ光学系に可動反射面を有する撮像装置において、当該可動反射面の角度を安定させることが可能な技術を提供することにある。
【課題を解決するための手段】
【００１２】
本発明は、撮像装置であって、撮影光学系からの光束であって主反射面で反射された光束である観察用光束をファインダ窓へと導くファインダ光学系と、前記観察用光束を受光して画像信号を生成する撮像素子と、前記ファインダ光学系に含まれる可動反射面の角度を変更して、前記可動反射面における前記観察用光束の反射角度を変更する角度変更機構とを備え、前記観察用光束の進路は、前記反射角度の変更によって、前記可動反射面で反射されて前記ファインダ窓に向かう第１の光路と、前記可動反射面で反射されて前記撮像素子に向かう第２の光路との間で切り換えられ、前記角度変更機構は、所定方向に移動するスライド部材と、前記スライド部材の前記所定方向における所定区間の移動動作に応じて所定軸周りに回動する回転体と、前記回転体の前記所定軸周りの回動動作に応じて前記所定方向に移動し、前記可動反射面の角度を変更する連結部材とを有し、前記スライド部材が第１の期間に移動するときには、前記スライド部材に設けられた第１の接触部が、前記回転体に設けられた第２の接触部の第１の接触区間であって前記所定方向に斜行する第１の接触区間に接触しつつ前記所定方向に移動するとともに、前記回転体が前記所定軸周りに回転し、前記スライド部材が前記第１の期間の後の第２の期間に移動するときには、前記回転体の回転角度が一定値に維持された状態で、前記第１の接触部が前記第２の接触部の第２の接触区間に接触しつつ前記所定方向に更に移動するものである。
【発明の効果】
【００１３】
本発明によれば、ファインダ光学系に可動反射面を有する撮像装置において、当該可動反射面の角度を安定させることが可能である。
【発明を実施するための最良の形態】
【００１４】
以下、本発明の実施形態を図面に基づいて説明する。
【００１５】
＜１．構成概要＞
図１および図２は、本発明の実施形態に係る撮像装置１の外観構成を示す図である。ここで、図１は、撮像装置１の上面外観図であり、図２は、撮像装置１の背面外観図である。この撮像装置１は、レンズ交換式一眼レフレックスタイプのデジタルカメラとして構成されている。なお、以下では、ＸＹＺ直交座標系を適宜用いて方向等を示すものとする。
【００１６】
図１に示すように、撮像装置１は、カメラ本体部（カメラボディ）２を備えている。このカメラ本体部２に対して、交換式の撮影レンズユニット（交換レンズ）３が着脱可能である。
【００１７】
撮影レンズユニット３は、主として、鏡胴３６、ならびに、鏡胴３６の内部に設けられるレンズ群３７（図３参照）及び絞り等によって構成される。レンズ群３７（撮影光学系）には、光軸方向に移動することによって焦点位置を変更するフォーカスレンズ等が含まれている。
【００１８】
カメラ本体部２は、撮影レンズユニット３が装着される円環状のマウント部を正面略中央に備えている。
【００１９】
また、カメラ本体部２は、その上面左側にモード設定ダイヤル８２を備えている。モード設定ダイヤル８２を操作することによれば、カメラの各種モード（各種撮影モード（人物撮影モード、風景撮影モード、およびフルオート撮影モード等）、および撮影した画像を再生する再生モード等を含む）の設定動作（切替動作）を行うことが可能である。
【００２０】
また、カメラ本体部２は、図１に示すように、右側に撮影者が把持するためのグリップ部１４を備えている。グリップ部１４の上面には露光開始を指示するためのレリーズボタン１１が設けられている。グリップ部１４の内部には電池収納室とカード収納室とが設けられている。電池収納室にはカメラの電源として、例えばリチウムイオン電池などの電池が収納されており、カード収納室には撮影画像の画像データを記録するためのメモリカード９０（図３参照）が着脱可能に収納されるようになっている。
【００２１】
レリーズボタン１１は、半押し状態（Ｓ１状態）および全押し状態（Ｓ２状態）の２つの状態を検出可能な２段階検出ボタンである。レリーズボタン１１が半押しされＳ１状態になると、被写体に関する記録用静止画像（本撮影画像）を取得するための準備動作（例えば、ＡＦ制御動作およびＡＥ制御動作等）が行われる。また、レリーズボタン１１がさらに押し込まれてＳ２状態になると、当該本撮影画像の撮影動作（撮像素子５（後述）を用いて被写体像（被写体の光像）に関する露光動作を行い、その露光動作によって得られた画像信号に所定の画像処理を施す一連の動作）が行われる。
【００２２】
図２において、カメラ本体部２の背面略中央上部には、ファインダ窓（接眼窓）１０が設けられている。撮影者は、ファインダ窓１０を覗くことによって、撮影レンズユニット３から導かれた被写体の光像を視認して構図決定を行うことができる。すなわち、光学ファインダを用いて構図決めを行うことが可能である。
【００２３】
なお、この実施形態に係る撮像装置１においては、背面モニタ１２（後述）に表示されるライブビュー画像を用いて構図決めを行うことも可能である。また、光学ファインダによる構図決め動作とライブビュー表示による構図決め動作との切換操作は、操作者が切換スイッチ８７（図１）を撮像装置１の前後方向（Ｚ方向）において並進移動（直進移動）させることによって実現される。
【００２４】
図２において、カメラ本体部２の背面の略中央には、背面モニタ１２が設けられている。背面モニタ１２は、例えばカラー液晶ディスプレイ（ＬＣＤ）として構成される。背面モニタ１２は、撮影条件等を設定するためのメニュー画面を表示したり、再生モードにおいてメモリカード９０に記録された撮影画像を再生表示したりすることができる。また、操作者が光学ファインダによる構図決めではなくライブビュー表示による構図決めを選択した場合には、背面モニタ１２には、撮像素子７（後述）によって取得された時系列の複数の画像（すなわち動画像）がライブビュー画像として表示される。
【００２５】
背面モニタ１２の左上部には電源スイッチ（メインスイッチ）８１が設けられている。電源スイッチ８１は２点スライドスイッチからなり、接点を左方の「ＯＦＦ」位置に設定すると、電源がオフになり、接点の右方の「ＯＮ」位置に設定すると、電源がオンになる。
【００２６】
背面モニタ１２の右側には方向選択キー８４が設けられている。この方向選択キー８４は円形の操作ボタンを有し、この操作ボタンにおける上下左右の４方向の押圧操作と、右上、左上、右下及び左下の４方向の押圧操作とが、それぞれ検出されるようになっている。なお、方向選択キー８４は、上記８方向の押圧操作とは別に、中央部のプッシュボタンの押圧操作も検出されるようになっている。
【００２７】
背面モニタ１２の左側には、メニュー画面の設定、画像の削除などを行うための複数のボタンからなる設定ボタン群８３が設けられている。
【００２８】
＜２．機能ブロック＞
つぎに、図３を参照しながら、撮像装置１の機能の概要について説明する。図３は、撮像装置１の機能構成を示すブロック図である。
【００２９】
図３に示すように、撮像装置１は、操作部８０、全体制御部１０１、フォーカス制御部１２１、ミラー制御部１２２、シャッタ制御部１２３、タイミング制御回路１２４、およびデジタル信号処理回路５０等を備える。
【００３０】
操作部８０は、レリーズボタン１１（図１参照）を含む各種ボタンおよびスイッチ等を備えて構成される。操作部８０に対するユーザーの入力操作に応答して、全体制御部１０１が各種動作を実現する。
【００３１】
全体制御部１０１は、マイクロコンピュータとして構成され、主にＣＰＵ、メモリ、及びＲＯＭ等を備える。全体制御部１０１は、ＲＯＭ内に格納されるプログラムを読み出し、当該プログラムをＣＰＵで実行することによって、各種機能を実現する。
【００３２】
例えば、全体制御部１０１は、ＡＦモジュール２０およびフォーカス制御部１２１等と協動して、フォーカスレンズの位置を制御する合焦制御動作を行う。全体制御部１０１は、ＡＦモジュール２０によって検出される被写体の合焦状態に応じて、フォーカス制御部１２１を用いてＡＦ動作を実現する。なお、ＡＦモジュール２０は、ミラー機構６を介して進入してきた光を用いて、位相差方式等の合焦状態検出手法により被写体の合焦状態を検出することが可能である。
【００３３】
フォーカス制御部１２１は、全体制御部１０１から入力される信号に基づいて制御信号を生成しモータＭ１を駆動することによって、撮影レンズユニット３のレンズ群３７に含まれるフォーカスレンズを移動する。また、フォーカスレンズの位置は、撮影レンズユニット３のレンズ位置検出部３９によって検出され、フォーカスレンズの位置を示すデータが全体制御部１０１に送られる。このように、フォーカス制御部１２１および全体制御部１０１等は、フォーカスレンズの光軸方向の動きを制御する。
【００３４】
ミラー制御部１２２は、ミラー機構６が光路から退避した状態（ミラーアップ状態）とミラー機構６が光路を遮断した状態（ミラーダウン状態）との状態切替を制御する。ミラー制御部１２２は、全体制御部１０１から入力される信号に基づいて制御信号を生成しモータＭ２を駆動することによって、ミラーアップ状態とミラーダウン状態とを切り替える。
【００３５】
シャッタ制御部１２３は、全体制御部１０１から入力される信号に基づいて制御信号を生成しモータＭ３を駆動することによって、シャッタ４の開閉を制御する。
【００３６】
タイミング制御回路１２４は、撮像素子５等に対するタイミング制御を行う。
【００３７】
撮像素子（ここではＣＣＤセンサ（単にＣＣＤとも称する））５は、光電変換作用により被写体の光像を電気的信号に変換して、本撮影画像に係る画像信号（記録用の画像信号）を生成する。撮像素子５は、記録画像取得用の撮像素子であるとも表現される。
【００３８】
撮像素子５は、タイミング制御回路１２４から入力される駆動制御信号（蓄積開始信号および蓄積終了信号）に応答して、受光面に結像された被写体像の露光（光電変換による電荷蓄積）を行い、当該被写体像に係る画像信号を生成する。また、撮像素子５は、タイミング制御回路１２４から入力される読出制御信号に応答して、当該画像信号を信号処理部５１へ出力する。また、タイミング制御回路１２４からのタイミング信号（同期信号）は、信号処理部５１及びＡ／Ｄ（アナログ／デジタル）変換回路５２にも入力される。
【００３９】
撮像素子５で取得された画像信号は、信号処理部５１において所定のアナログ信号処理が施され、当該アナログ信号処理後の画像信号はＡ／Ｄ変換回路５２によってデジタル画像データ（画像データ）に変換される。この画像データは、デジタル信号処理回路５０に入力される。
【００４０】
デジタル信号処理回路５０は、Ａ／Ｄ変換回路５２から入力される画像データに対してデジタル信号処理を行い、撮像画像に係る画像データを生成する。デジタル信号処理回路５０は、黒レベル補正回路５３、ホワイトバランス（ＷＢ）回路５４、γ補正回路５５及び画像メモリ５６を備える。
【００４１】
黒レベル補正回路５３は、Ａ／Ｄ変換回路５２が出力した画像データを構成する各画素データの黒レベルを基準の黒レベルに補正する。ＷＢ回路５４は、画像のホワイトバランス調整を行う。γ補正回路５５は、撮像画像の階調変換を行う。画像メモリ５６は、生成された画像データを一時的に記憶するための、高速アクセス可能な画像メモリであり、複数フレーム分の画像データを記憶可能な容量を有する。
【００４２】
本撮影時には、画像メモリ５６に一時記憶される画像データは、全体制御部１０１において適宜画像処理（圧縮処理等）が施された後、カードＩ／Ｆ１３２を介してメモリカード９０に記憶される。
【００４３】
また、画像メモリ５６に一時記憶される画像データは、全体制御部１０１によって適宜ＶＲＡＭ１３１に転送され、背面モニタ１２に画像データに基づく画像が表示される。これによって、撮影画像を確認するための確認表示（アフタービュー）、および撮影済みの画像を再生する再生表示等が実現される。
【００４４】
また、この撮像装置１は、撮像素子５とは別の撮像素子７（図４も参照）をさらに備えている。撮像素子７は、いわゆるライブビュー画像取得用（動画取得用）の撮像素子としての役割を果たす。撮像素子７も、撮像素子５と同様の構成を有している。ただし、撮像素子７は、ライブビュー用の画像信号（動画像）を生成するための解像度を有していればよく、通常、撮像素子５よりも少ない数の画素で構成される。
【００４５】
撮像素子７で取得された画像信号に対しても、撮像素子５で取得された画像信号と同様の信号処理が施される。すなわち、撮像素子７で取得された画像信号は、信号処理部５１で所定の処理が施され、Ａ／Ｄ変換回路５２でデジタルデータに変換された後、デジタル信号処理回路５０で所定の画像処理が施され、画像メモリ５６に格納される。
【００４６】
また、撮像素子７で取得され画像メモリ５６に格納される時系列の画像データは、全体制御部１０１によって適宜ＶＲＡＭ１３１に順次に転送され、当該時系列の画像データに基づく画像が背面モニタ１２に表示される。これによって、構図決めを行うための動画的態様の表示（ライブビュー表示）が実現される。
【００４７】
さらに、撮像装置１は、通信用Ｉ／Ｆ１３３を有しており、当該インターフェイス１３３の接続先の機器（例えば、パーソナルコンピュータ等）とデータ通信をすることが可能である。
【００４８】
＜３．撮影動作＞
＜３−１．概要＞
つぎに、この撮像装置１における構図決め動作を含む撮影動作について説明する。上述したように、この撮像装置１においては、ファインダ光学系等で構成される光学ファインダ（光学ビューファインダ（ＯＶＦ）とも称される）を用いて構図決め（フレーミング）を行うことが可能であるとともに、背面モニタ１２（後述）に表示されるライブビュー画像を用いて構図決めを行うことも可能である。なお、撮像素子７および背面モニタ１２を利用して実現されるファインダ機能は、被写体の光像を電子データに変換した後に可視化するものであることから電子ビューファインダ（ＥＶＦ）とも称される。
【００４９】
上述したように、操作者は切換スイッチ８７を操作することによって、光学ビューファインダ（ＯＶＦ）を用いて構図決めを行うか、操作者が電子ビューファインダ（ＥＶＦ）を用いて構図決めを行うかを選択することができる。
【００５０】
図４および図５は、撮像装置１の断面図である。図４は、ＯＶＦを用いた構図決め動作を示しており、図５は、ＥＶＦを用いた構図決め動作を示している。また、図６は、本撮影画像に関する露光動作時（詳細にはＯＶＦ時）の状態を示す断面図である。
【００５１】
図４等に示すように、撮影レンズユニット３から撮像素子５に至る光路（撮影光路）上にはミラー機構６が設けられている。ミラー機構６は、撮影光学系からの光を上方に向けて反射する主ミラー６１（主反射面）を有している。この主ミラー６１は、例えばその一部または全部がハーフミラーとして構成され、撮影光学系からの光の一部を透過する。また、ミラー機構６は、主ミラー６１を透過した光を下方に反射させるサブミラー６２（副反射面）をも有している。サブミラー６２で下方に反射された光は、ＡＦモジュール２０へと導かれて入射し、位相差方式のＡＦ動作に利用される。
【００５２】
撮影モードにおいてレリーズボタン１１が全押し状態Ｓ２にされるまで、換言すれば構図決めの際には、ミラー機構６はミラーダウン状態となるように配置される（図４および図５参照）。そして、この際には、撮影レンズユニット３からの被写体像は、主ミラー６１で上方に反射され観察用光束としてペンタミラー６５に入射する。ペンタミラー６５は、複数のミラー（反射面）を有しており、被写体像の向きを調整する機能を有している。また、ペンタミラー６５に入射した後の、観察用光束の進路は、上記の両方式（すなわちＯＶＦ方式およびＥＶＦ方式）のいずれを採用して構図決めを行うかに応じて異なっている。これについては後述する。操作者は、選択した所望の方式によって構図決めを行うことが可能である。
【００５３】
一方、レリーズボタン１１が全押し状態Ｓ２にされると、ミラー機構６はミラーアップ状態となるように駆動され、露光動作が開始される（図６参照）。被写体に係る記録用静止画像（本撮影画像）を取得する際の基本的動作（すなわち露光の際の動作）は、上記の両方式（すなわちＯＶＦ方式およびＥＶＦ方式）による構図決めに共通である。
【００５４】
具体的には、図６に示すように、露光時には、ミラー機構６は、撮影光路から待避する。詳細には、撮影光学系からの光（被写体像）を遮らないように主ミラー６１とサブミラー６２とが上方に待避し、撮影レンズユニット３からの光がシャッタ４の開放タイミングに合わせて撮像素子５に到達する。撮像素子５は、光電変換によって、受光した光束に基づいて被写体の画像信号を生成する。このように、被写体からの光が撮影レンズユニット３を介して撮像素子５に導かれることによって、被写体に係る撮影画像（撮影画像データ）が得られる。
【００５５】
＜３−２．光学ファインダによる構図決め動作（フレーミング動作）＞
次に、構図決めの際の上記両方式の各動作についてそれぞれ説明する。
【００５６】
まず、ＯＶＦ方式の構図決め動作について説明する。
【００５７】
図４に示すように、ミラー機構６の主ミラー６１およびサブミラー６２が、撮影レンズユニット３からの被写体像の光路上に配置されると、被写体像が主ミラー６１とペンタミラー６５と接眼レンズ６７とを介してファインダ窓１０へと導かれる。このように、主ミラー６１とペンタミラー６５と接眼レンズ６７とを含むファインダ光学系は、撮影光学系からの光束であって主ミラー６１で反射された光束である観察用光束をファインダ窓１０へと導くことが可能である。
【００５８】
詳細には、撮影レンズユニット３からの光は、主ミラー６１で反射されて上方に進路を変更し、焦点板６３において結像し、焦点板６３を通過する。その後、焦点板６３を通過した光は、ペンタミラー６５でその進路をさらに変更した後に接眼レンズ６７を通ってファインダ窓１０へ向かう（図４の光路ＰＡ参照）。このようにして、ファインダ窓１０を通過した被写体像は撮影者（観察者）の眼へ到達して視認される。すなわち、撮影者はファインダ窓１０を覗くことによって、被写体像を確認することができる。
【００５９】
ここにおいて、ペンタミラー６５は、三角屋根状に形成された２面のミラー（ダハミラー）６５ａ，６５ｂと、当該ダハミラー（ダハ面）６５ａ，６５ｂに対して固定された面６５ｃと、もう１つのミラー（反射面）６５ｅとを有している。また、三角屋根状の２面のミラー６５ａ，６５ｂは、プラスチック成型により一体部品６５ｄとして形成されている。主ミラー６１で反射されて上方に進路を変更した光は、ダハミラー６５ａ，６５ｂで反射されて左右反転されて進行し、さらにミラー６５ｅでも反射されることによって上下も反転されて撮影者の眼に到達する。このように、撮影レンズユニット３において左右上下が反転されていた光像は、ペンタミラー６５でさらに左右上下が反転される。これにより、撮影者は、光学ファインダにおいて、その上下左右が実際の被写体と同じ状態で被写体像を観察することができる。
【００６０】
なお、ここでは、ファインダ光学系の一部である光学ユニットＵ１が撮像装置１内部の上部空間ＳＵに設けられている。この光学ユニットＵ１は、接眼レンズ６７とファインダ窓１０とを有するととともに、切換スイッチ８７による切換操作に応じて開閉可能なアイピースシャッタ（遮光板とも称する）１６をさらに有している。ＯＶＦ方式の構図決め動作時においては、アイピースシャッタ１６は開放されており、ペンタミラー６５からの被写体像がファインダ窓１０を通過するように構成されている。
【００６１】
また、主ミラー６１を透過した光はサブミラー６２で反射されて下方に進路を変更しＡＦモジュール２０へと進入する。ＡＦモジュール２０およびフォーカス制御部１２１等は、主ミラー６１およびサブミラー６２を介して進入してきた光を用いて、ＡＦ動作を実現する。
【００６２】
＜３−３．電子ファインダによる構図決め動作（フレーミング動作）＞
次に、ＥＶＦ方式による構図決め動作について説明する。
【００６３】
この場合にも、図５に示すように、ミラー機構６の主ミラー６１およびサブミラー６２が、撮影レンズユニット３からの被写体像の光路上に配置される。そして、撮影レンズユニット３からの光は、主ミラー６１で反射されて上方に進路を変更し、焦点板６３において結像し、焦点板６３を通過する。
【００６４】
ただし、このＥＶＦ方式による構図決め動作においては、焦点板６３を通過した光は、ペンタミラー６５でその進路をさらに変更した後に、ビームスプリッタ７１でさらにその進路を変更して結像レンズ６９（結像光学系）を通過して撮像素子７の撮像面上で再結像する（図５の光路ＰＢ参照）。なお、主ミラー６１で反射されて上方に進路を変更した光は、ダハミラー６５ａ，６５ｂで反射されて左右反転されて進行し、さらにミラー６５ｅでも反射されることによって上下も反転され、さらに結像レンズ６９で上下左右反転されて撮像素子７に到達する。
【００６５】
より詳細には、図４と比較すると判るように、図５においてはミラー６５ｅの角度（カメラ本体部２に対する設置角度）が変更されている。具体的には、ミラー６５ｅは、図４の状態から、その下端側の軸ＡＸ１を中心に矢印ＡＲ１の向きに所定角度α回動している。なお、ミラー６５ｅは、切換スイッチ８７の操作に応じて回動する。このミラー６５ｅ（より詳細にはミラー６５ｅの反射面）は、可動反射面とも称される。
【００６６】
そして、このミラー６５ｅの角度変更によって、ミラー６５ｅで反射される光（観察用光束）の反射角度が変更され、当該ミラー６５ｅによる反射光の進行経路が変更される。具体的には、図４の状態に比べて、ミラー６５ｅへの入射角度θ１が比較的小さくなり、反射角度θ２も比較的小さくなる。その結果、ミラー６５ｅの反射光は、接眼レンズ６７に向かう光路からダハミラー６５ａ，６５ｂ寄りの光路へとその進路を上方に変更してビームスプリッタ７１に向かい、ビームスプリッタ７１でさらにその進路を変更して結像レンズ６９を通過して撮像素子７に到達する。なお、ビームスプリッタ７１、結像レンズ６９および撮像素子７は、接眼レンズ６７よりも上方に配置されており、且つ、ＯＶＦの際にミラー６５ｅから接眼レンズ６７へと進行する光束を遮らない位置に配置されている。
【００６７】
また、ミラー６５ｅで反射された光束の進路は、ミラー６５ｅの変更角度αに応じて、その２倍の大きさの角度β（＝２×α）変更される。逆に言えば、反射光路の進行角度を角度β変更するために、ミラー６５ｅの回転角度は、当該角度βの半分の角度αで済む。すなわち、ミラー６５ｅの比較的小さな回転角度でミラー６５ｅの反射光の進路を比較的大きく変更することが可能である。また、ミラー６５ｅと撮像素子７とは光学的に比較的離れて配置されているため、ミラー６５ｅの回転角度を小さく変更するだけで、ミラー６５ｅによる２つの反射光を、互いに離れて配置された接眼レンズ６７および撮像素子７へと確実に導くことが可能である。すなわち、ミラー６５ｅの回転角度を小さく変更することによってミラー６５ｅによる反射光の光束を良好に２つの光路に選択的に進行させることが可能である。したがって、ミラー６５ｅの回転によるスペースの増大は最小限に止められる。
【００６８】
撮像素子７は、ミラー６５ｅで反射され結像レンズ６９を通過して撮像素子７に到達した被写体像に基づいて、ライブビュー画像を生成する。具体的には、微小時間間隔（例えば、１／６０秒）で複数の画像を順次に生成する。そして、取得された時系列の画像は背面モニタ１２において順次に表示される。これによって、撮影者は、背面モニタ１２に表示される動画像（ライブビュー画像）を視認し、当該動画像を用いて構図決めを行うことが可能になる。
【００６９】
また、この場合も、ＯＶＦによる構図決めの際（図４参照）と同様に、主ミラー６１とサブミラー６２とを介してＡＦモジュール２０に入射した光を用いてＡＦ動作が実現される。
【００７０】
なお、ＥＶＦ方式の構図決め動作時においては、外光がファインダ窓１０から上部空間（内部空間）ＳＵへと入射しないように、アイピースシャッタ１６が開じられている。
【００７１】
以上のように、ミラー６５ｅで反射した後の観察用光束の進路（詳細には主進路）は、ミラー６５ｅの反射角度の変更によって、ミラー６５ｅから接眼レンズ６７およびファインダ窓１０に向かう光路ＰＡ（図４）と、ミラー６５ｅから結像レンズ６９および撮像素子７に向かう光路ＰＢ（図５）との間で切り換えられる。換言すれば、当該観察用光束の進路は、ミラー６５ｅの反射角度の変更によって、ミラー６５ｅで反射されてファインダ窓１０に向かう第１の光路ＰＡと、ミラー６５ｅで反射されて撮像素子７に向かう第２の光路ＰＢとの間で切り換えられる。
【００７２】
＜４．角度変更機構＞
＜４−１．角度変更機構の構成＞
＜概要＞
図７は、撮像装置１の外観を示す上面図である。図７に示すように、撮像装置１の上面には、図７に示すように、切換スイッチ（切換操作部材）８７が設けられている。なお、図７は、切換スイッチ８７が前側端の位置（ライブビュー位置ＬＰ）に移動された状態を示しており、図１は、切換スイッチ８７が後側端（ＯＶＦ位置ＯＰ）に移動された状態を示している。
【００７３】
操作者が切換スイッチ８７を前後方向にスライド（直進移動）させると、当該スライド動作に応じて、ミラー６５ｅ（可動反射面）の角度が上述のように変更される。以下では、ミラー６５ｅの角度を変更する角度変更機構の構成および動作について、詳細に説明する。
【００７４】
図８は、撮像装置１の内部構成（主に角度変更機構付近）を示す斜視図であり、図９は、当該角度変更機構の分解斜視図である。また、図３０の斜視図も、撮像装置１の内部構成を示すものである。ただし、図３０は、図８とは異なる角度で当該構造を示している。また、図８および図９等においては、便宜上、幾つかの構成要素（アイピースシャッタ１６、ペンタミラー６５等）が適宜に省略されて示されている。
【００７５】
図８および図９等に示すように、この角度変更機構は、スライド部材９１と回転体９２と連結部材９３とリンク機構９４とベース部材９５とを有している。この角度変更機構は、ファインダ光学系に含まれるミラー６５ｅの角度を変更して、ミラー６５ｅにおける観察用光束の反射角度を変更する。
【００７６】
スライド部材９１は、上側の垂直部９１ａと上側の側片部９１ｂ，９１ｃと下側の水平部９１ｄとを有している（図９参照）。上側の側片部９１ｂ，９１ｃは、板状部材における垂直部９１ａの両側方部分が図９の右側（−Ｘ側）に略垂直に折り曲げられて形成されている。また、下側の水平部９１ｄは、板状部材における垂直部９１ａの下方部分がその反対側（すなわち図９の左側）（＋Ｘ側）に略垂直に折り曲げられて形成されている。
【００７７】
側片部９１ｂは、切換スイッチ８７の下面側の固定部（不図示）において切換スイッチ８７に固定されている。
【００７８】
また、側片部９１ｂ，９１ｃには、それぞれ、貫通孔９１ｅが形成されており、これら２つの貫通孔９１ｅには、スライド軸９６が貫通している。スライド軸９６は、切換スイッチ８７の直進方向（前後方向（Ｚ方向））に沿って配置されている。スライド軸９６は、ベース部材９５の貫通孔９５ｅをも貫通し、その両端においてカメラ本体部２側に固定されている。スライド部材９１は、スライド軸９６に沿って摺動可能（スライド可能）である。
【００７９】
また、スライド部材９１の水平部９１ｄには、中空部９１ｆが設けられている。この中空部９１ｆによって、スライド部材９１のスライド時における軸部材９５ａとの干渉が回避されている。また、水平部９１ｄの一部（−Ｘ側の部分）には、その先端部が下方に折れ曲がって下方に突出する突出部９１ｇが設けられている。この突出部９１ｇは、回転体９２に接触する接触部であるとも表現される。
【００８０】
操作者によって切換スイッチ８７が直進方向に移動されると、切換スイッチ８７に固定されたスライド部材９１も切換スイッチ８７と同じ向きにスライド軸９６に沿って移動する。すなわち、切換スイッチ８７の前後方向（Ｚ方向）における直進移動（並進運動）に応じて、スライド部材９１は、切換スイッチ８７と同じ方向（Ｚ方向）において同じ向きに移動する。そして、切換スイッチ８７による直進方向における操作力が、下方の突出部（接触部）９１ｇによって回転体９２へと伝達される。
【００８１】
回転体９２は、スライド部材９１の直進方向（Ｚ方向）における所定区間の移動動作に応じて、軸ＢＸ１周りに回動する。なお、軸ＢＸ１は、ベース部材９５の底面部９５ｂにおいて上方に突出して設けられた軸部材９５ａの中心軸である。
【００８２】
また、回転体９２は、同じ軸ＢＸ１を中心に回転する３つの回転プレート（回転部材）９２１，９２２，９２３を有している。これらの回転プレート９２１，９２２，９２３はバネ９２ｒ，９２ｓによって弾性結合され、一体化して回転する。回転体９２の詳細構成等については、後に詳述する。
【００８３】
連結部材９３は、リンク機構９４（図８）を介してミラー６５ｅに連結される部材である。連結部材９３は、水平部９３ｃ（図９）と、当該水平部９３ｃの−Ｘ側において当該水平部９３ｃからそれぞれ上方に突出する２つの突出部９３ａ，９３ｂと、当該水平部９３ｃの＋Ｘ側において長手方向（Ｚ方向）に伸びる腕部９３ｄとを有している。水平部９３ｃには、Ｚ方向に伸びる平行区間を有する中空部９３ｅが設けられている。この中空部９３ｅには、軸部材９５ａが貫通する。また、腕部９３ｄは、その一端（＋Ｚ側の端）において、リンク機構９４（図８）に接続されている。
【００８４】
後述するように、回転体９２の回転プレート９２２が連結部材９３の突出部９３ａ，９３ｂに接触することによって、切換スイッチ８７からの操作力がスライド部材９１および回転体９２を介して連結部材９３へと更に伝達される。連結部材９３は、回転体９２の軸ＢＸ１周りの回動動作に応じて直進方向（Ｚ方向）に移動し、リンク機構９４を介してミラー６５ｅの角度を変更する。なお、このとき、腕部９３ｄは、カメラ本体部２の溝部（不図示）に案内されて直進する。また、連結部材９３の中空部９３ｅのＸ方向の幅は軸部材９５ａの対応部分（底部）におけるＸ方向の幅とほぼ同一であり、連結部材９３のスライド時には中空部９３ｅの直線部分に沿って軸部材９５ａが連結部材９３に対して相対的に移動する。
【００８５】
リンク機構９４は、連結部材９３から伝達される力をミラー６５ｅに伝達する部材である。具体的には、リンク機構９４は、レバー部９４ａと軸部９４ｂと固定部９４ｃとを有している。これらの各部（レバー部９４ａ、軸部９４ｂおよび固定部９４ｃ）は、一体成形されており、一体的に軸ＡＸ１周りに回動可能である。リンク機構９４は、固定部９４ｃにおいてミラー６５ｅに固定されているとともに、レバー部９４の上側位置において連結部材９３の腕部９３ｄに回動可能に接続されている。リンク機構９４は、このような構成によって、連結部材９３の並進運動をミラー６５ｅの所定軸ＡＸ１周りの回転運動に変換する。
【００８６】
ベース部材９５は、底面部９５ｂと、当該底面部９５ｂにおいて上方に突出して設けられる軸部材９５ａと、当該底面部９５ｂから上方に延びる腕部９５ｃ，９５ｄ（図９参照）とを有している。腕部９５ｃと腕部９５ｄとは、それぞれ、上部において貫通孔９５ｅを有している。組み立て状態においては、スライド軸９６が２つの貫通孔９５ｅを貫通して固定される（図８参照）。また、腕部９５ｃと腕部９５ｄとの距離は、同じスライド軸９６を貫通する２つの側片部９１ｂ，９１ｃの間の距離よりも大きく、スライド部材９１はベース部材９５の腕部９５ｃと腕部９５ｄとの間を移動する。
【００８７】
また、アイピースシャッタ（遮光板とも称する）１６は、ファインダ窓１０から装置内部へと入射する外光（迷光）を遮断する開閉式の遮光板である。後述するように、このアイピースシャッタ１６は、切換スイッチ８７による切換操作に機械的に連動して開閉される。
【００８８】
＜詳細構成＞
図１０は、撮像装置１の内部構成（角度変更機構付近）の概略を示す上面図である。図１１は、当該内部構成を撮像装置１の左側方（＋Ｘ側）から見た側面図であり、図１２は、当該内部構成を撮像装置１の背面側（−Ｚ側）から見た背面図である。これらの図１０〜図１２は、切換スイッチ８７が後方側の位置（ＯＶＦ位置（「Ｏ」位置）、図１参照）ＯＰに存在する状態を示している。また、図１３は、図１０の一部拡大図であり、図１４は、図１３の一部をさらに拡大した図である。
【００８９】
図１５〜図１９は、切換スイッチ８７が前方側の位置（ライブビュー位置（「Ｌ」位置）、図７参照）ＬＰに存在する状態を示している。図１５は、撮像装置１の内部構成の概略を示す上面図であり、図１６は、当該内部構成を撮像装置１の左側方から見た図であり、図１７は、当該内部構成を撮像装置１の背面側から見た図である。また、図１８は、図１５の一部拡大図であり、図１９は、図１８の一部をさらに拡大した図である。
【００９０】
また、図２０〜図２３は、切換スイッチ８７がＯＶＦ位置ＯＰとライブビュー位置ＬＰとの中間位置ＭＰに存在する状態を示している。図２０は、角度変更機構付近を示す拡大上面図であり、図２１は図２０の一部を更に拡大した図である。また、図２２は、図２０において軸ＢＸ１を含み且つＸＹ平面に平行な断面における断面図であり、図２３は、角度変更機構を＋Ｘ側から見た側面図である。ただし、図２３においては、その一部（下側部分）を破断して、図２０において軸ＢＸ１を含み且つＹＺ平面に平行な断面における断面図をも示している。
【００９１】
また、図２４は、切換スイッチ８７が中間位置ＭＰから更にライブビュー位置ＬＰへと近づいた状態、詳細には、切換スイッチ８７が中間位置ＭＰとライブビュー位置ＬＰとの間の位置ＣＰに存在する状態を示す拡大上面図である。
【００９２】
なお、各図においては、バネ９２ｒ，９２ｓ等を適宜に省略して示している。
【００９３】
回転体９２は、図９等に示すように、同じ軸ＢＸ１を中心に回転する３つの回転プレート（回転部材）９２１，９２２，９２３を有している。３つの回転プレート９２１，９２２，９２３は、いずれも、同じ軸部材９５ａに回動自在に嵌合している。なお、軸部材９５ａは、多段の軸部材であり、高さ方向において異なる径を有している。また、回転プレート９２１，９２２，９２３は、それぞれ、各配置高さに応じた径（軸部材９５ａにおける対応高さの径と同等の径）の孔を有している。また、上段部の径は、下段部の径よりも小さい。したがって、複数の回転プレート９２１，９２２，９２３は、それぞれ、異なる高さ方向の位置において、軸部材９５ａによって回動可能に保持される。
【００９４】
図９、図２０および図２１等にも示すように、回転プレート９２１は、略八角形の外周部の中央部分（図２０の上側（−Ｘ側）中央）において、凹部を有している。回転プレート９２１（詳細には、回転プレート９２１の当該凹部）には、非接触部９２１ａと接触部９２１ｃ，９２１ｄとが設けられている。非接触部９２１ａは、図２０および図２１等に示すような中間状態において、回転プレート９２１の外周部分のうちスライド部材９１の突出部９１ｇに接触せず、上記凹部の底の部分において切換スイッチ８７の進行方向と略平行に設けられている。
【００９５】
また、接触部９２１ｃ，９２１ｄは、回転プレート９２１の外周部分のうち、スライド部材９１の移動に応じて突出部９１ｇ（スライド部材９１側の接触部）に接触する部分である。接触部９２１ｃ，９２１ｄは、非接触部９２１ａの両側に設けられている。また、接触部９２１ｃは、接触区間９２１ｅ，９２１ｆを有しており、接触部９２１ｄは、接触区間９２１ｇ，９２１ｈを有している（図２１参照）。これらの接触区間９２１ｅ，９２１ｆ，９２１ｇ，９２１ｈは、回転プレート９２１の外周において平坦な部分（平坦面）として形成されている。
【００９６】
また、接触部９２１ｃおよび接触部９２１ｄは、それぞれ、途中でその角度が変更されている。具体的には、図２１等に示すような中間状態において、接触区間９２１ｅの直線部分は、切換スイッチ８７のスライド方向（Ｚ方向）に対して比較的大きな角度Θｂを有しており、接触区間９２１ｆの直線部分は、当該スライド方向に対して比較的小さな角度Θｓを有している。また、回転プレート９２１が図２０の中間状態から反時計回りに角度Θｓ回転すると、平坦な接触区間９２１ｆは、スライド方向に対して略平行になる。換言すれば、突出部９１ｇと回転体９２との接触点における接線の方向はスライド方向と略同一である。また、このとき、軸ＢＸ１と接触区間９２１ｆの直線部分の延長線との距離は、軸ＢＸ１と突出部９１ｇの軸ＢＸ１側の接触面との距離に等しくなる。したがって、突出部９１ｇは、接触区間９２１ｆの直線部分に沿ってスライド方向に移動することが可能である。
【００９７】
同様に、接触区間９２１ｇの直線部分は、切換スイッチ８７のスライド方向に対して比較的大きな角度Θｂを有しており、接触区間９２１ｈの直線部分は、当該スライド方向に対して比較的小さな角度Θｓを有している。また、回転プレート９２１が図２０の中間状態から時計回りに角度Θｓ回転すると、平坦な接触区間９２１ｈは、スライド方向に対して略平行になる。このとき、軸ＢＸ１と接触区間９２１ｈの直線部分の延長線との距離は、軸ＢＸ１と突出部９１ｇの軸ＢＸ１側の接触面との距離に等しくなる。したがって、突出部９１ｇは、接触区間９２１ｈの直線部分に沿ってスライド方向に移動することが可能である。
【００９８】
なお、角度Θｂ，Θｓは、非接触区間９２１ａの伸延方向（Ｚ方向）に対する角度であるとも表現される。
【００９９】
スライド部材９１の突出部９１ｇがスライド方向（スライド部材９１の直進方向）において前方側（＋Ｚ側）に進行するときには、当該突出部９１ｇが、当該スライド方向に斜行する接触区間９２１ｅに接触しつつ移動する。これによって、スライド部材９１が接触区間９２１ｅに対応する区間にわたって移動するとともに、回転体９２（回転プレート９２１等）が軸ＢＸ１周りに（反時計回りに）角度Θｓ回転する。その後、突出部９１ｇが当該スライド方向に更に前方に移動する際には、回転プレート９２１の外周部（接触区間９２１ｆ）は、スライド方向（Ｚ方向）に平行になる。そして、突出部９１ｇは、スライド方向と平行な接触区間９２１ｆに接触しながら移動する。なお、このとき、突出部９１ｇと接触区間９２１ｆとの接触点における接線の方向は、当該スライド方向と略同一である。
【０１００】
また、同様に、スライド部材９１の突出部９１ｇが、中間位置（図２０参照）から、スライド方向（スライド部材９１の直進方向）において後方側に進行するときには、当該突出部９１ｇが、当該スライド方向に斜行する接触区間９２１ｇに接触しつつ移動する。これによって、スライド部材９１が接触区間９２１ｇに対応する区間にわたって移動するとともに、回転体９２が軸ＢＸ１周りに（今度は時計回りに）角度Θｓ回転する。その後、突出部９１ｇが当該スライド方向において後方に更に移動する際には、回転プレート９２１の外周部（接触区間９２１ｈ）は、スライド方向（Ｚ方向）に平行になる。そして、突出部９１ｇは、スライド方向と平行な接触区間９２１ｈに接触しながら移動する。なお、このとき、突出部９１ｇと接触区間９２１ｈとの接触点における接線の方向は、当該スライド方向と略同一である。
【０１０１】
また、回転プレート９２１には、同形状且つ同サイズの２つのＨ字状の孔９２１ｐ，９２１ｑ（図９等参照）が設けられている。そして、回転プレート９２２にも、同形状且つ同サイズのＨ字状の孔９２２ｐが設けられている。
【０１０２】
組み立て状態においては、回転プレート９２２の孔９２２ｐは、回転プレート９２１の孔９２１ｐと同じ位置に設けられている（図９および図２０参照）。また、自然長よりも縮められて付勢された弦巻バネ（弾性部材）９２ｒが、その両端をＨ字状の孔９２１ｐ，９２２ｐのＸ方向端部に当接させた状態で配置されている。さらに、バネ９２ｒの脱落を防止するため、孔９２１ｐ，９２２ｐに設けられた突出部が、弦巻バネ（単にバネとも称する）９２ｒの両端の空洞部に嵌入している。なお、図２３の断面図においては、回転プレート９２１と回転プレート９２２とがバネ９２ｒの弾性力によって一体化されている様子（すなわち弾性結合されている様子）が示されている。
【０１０３】
このようにして、両回転プレート９２１，９２２が重ねられた状態で、両回転プレート９２１，９２２が弾性結合されている。両回転プレート９２１，９２２を基準位置ないし基準状態（孔９２１ｐの位置と孔９２２ｐの位置とが合致した状態）から互いにずらす向きの力が作用するときには、このバネ９２ｒの弾性力によって両回転プレート９２１，９２２を基準状態に戻そうとする復元力（回転力）が作用する。
【０１０４】
さらに、回転プレート９２３にも、同形状且つ同サイズのＨ字状の孔９２３ｑが設けられている（図９および図２０参照）。組み立て状態においては、回転プレート９２３の孔９２３ｑは、回転プレート９２１の孔９２１ｑと同じ位置に設けられている。また、自然長よりも縮められて付勢された弦巻バネ（弾性部材）９２ｓが、その両端をＨ字状の孔９２１ｑ，９２３ｑの端部に当接させた状態で配置されている。さらに、バネ９２ｓの脱落を防止するため、孔９２１ｑ，９２３ｑに設けられた突出部が、バネ９２ｓの両端の空洞部に嵌入している。なお、図２３の断面図においては、回転プレート９２１と回転プレート９２３とがバネ９２ｓの弾性力によって一体化されている様子（すなわち弾性結合されている様子）が示されている。
【０１０５】
このようにして、両回転プレート９２１，９２３が重ねられた状態で、両回転プレート９２１，９２３が弾性結合されている。両回転プレート９２１，９２３を基準位置ないし基準状態（孔９２１ｑの位置と孔９２３ｑの位置とが合致した状態）から互いにずらす向きの力が作用するときには、このバネ９２ｓの弾性力によって両回転プレート９２１，９２３を基準状態に戻そうとする復元力が作用する。
【０１０６】
また、回転プレート９２２は、−Ｘ側に突出する突出部９２２ａを有している。この突出部９２２ａは、連結部材９３の突出部９３ａ，９３ｂに接触しつつ移動することによって、連結部材９３に対して力を伝達する。
【０１０７】
また、回転プレート９２３は、−Ｚ側に突出する突出部９２３ａを有している。この突出部９２３ａは、アイピースシャッタ１６のプレート１６ａ，１６ｂに接触しつつ移動することによって、アイピースシャッタ１６を開閉する。
【０１０８】
＜４−２．角度変更機構の動作＞
＜ＯＶＦ位置からライブビュー位置への動作＞
図１０〜図１４に示すように、切換スイッチ８７が比較的後方のＯＶＦ位置ＯＰに存在するときには、スライド部材９１も比較的後方（−Ｚ側）の位置に存在する。その後、切換スイッチ８７が位置ＭＰ，ＣＰを通過して、比較的前方（＋Ｚ側）のライブビュー位置ＬＰに到達すると、スライド部材９１が比較的前方の位置に移動し、図１５〜図１９に示す状態へと遷移する。以下では、このような遷移動作について、さらに詳細に説明する。
【０１０９】
まず、切換スイッチ８７がＯＶＦ位置ＯＰから中間位置ＭＰへと移動したものとする（時刻Ｔ１０）。この状態では、図２０に示すように、スライド部材９１の突出部９１ｇが回転体９２の凹部において非接触部９２１ａに対して平行になるように離間されて存在する。
【０１１０】
その後、さらに切換スイッチ８７が更に前方（＋Ｚ側）へと移動すると、スライド部材９１も更に前方へと（図２０の左向きに）移動するとともに、突出部９１ｇが回転体９２の接触区間９２１ｅに接触しつつ前方（＋Ｚ側）に移動する。突出部９１ｇ（図２０の斜線領域：回転プレート９２１平面における突出部９１ｇの断面領域）は、スライド方向（Ｚ方向）に対して斜行する接触区間９２１ｅに接触しつつ、スライド方向に直進移動する。そのため、切換スイッチ８７に付与される操作力は突出部９１ｇおよび接触区間９２１ｅを介して回転プレート９２１へと伝達され、回転プレート９２１は軸ＢＸ１を中心として反時計回りに回転する。
【０１１１】
また、回転プレート９２１に一体化された回転プレート９２２も同様に軸ＢＸ１を中心として反時計回りに回転する。そして、回転プレート９２２の突出部９２２ａも反時計回りに回転し、当該突出部９２２ａは、連結部材９３の突出部９３ａに接触する。図２０においては、回転プレート９２２平面における突出部９３ａの断面領域が斜線領域で示されている。この接触によって、回転体９２から連結部材９３へと押圧力が伝達され、この押圧力によって連結部材９３が前方に移動する。このようにして、連結部材９３は、回転体９２の軸ＢＸ１周りの（反時計回りの）回動動作に応じてスライド方向においてカメラ前方（＋Ｚ側）へ向けて移動する。
【０１１２】
そして、この連結部材９３の移動動作は、リンク機構９４を介してミラー６５ｅを軸ＡＸ１周りに回転させて、図１１のミラー角度から図１６と同様のミラー角度へと、ミラー６５ｅの角度を変更する。これにより、ミラー６５ｅの起き上がり角度（水平面に対する角度）は、より小さな値に変更される。
【０１１３】
このようにして、スライド部材９１が接触区間９２１ｅに対応する区間にわたって移動するとともに、回転体９２が軸ＢＸ１周りに回転する。そして、回転体９２が図２０の状態から所定角度Θｔ（＜Θｓ）回転すると、図２４に示すような状態に遷移する（時刻Ｔ１２）。この時刻Ｔ１２においては、図１６と同様に、リンク機構９４のレバー部９４ａが変位規制部材９７ａに当接しており、同じ向きの回転が規制される。すなわち、ミラー６５ｅは、その起き上がり角度が最も小さい状態（図５および図１６参照）になる。
【０１１４】
以上のように、時刻Ｔ１０から時刻Ｔ１２に至る期間においては、スライド部材９１の突出部９１ｇが、回転体９２（詳細には回転プレート９２１）の外周部における接触区間９２１ｅに接触しつつ移動するとともに、回転体９２が所定軸ＢＸ１周りに角度Θｔ回転する。
【０１１５】
その後、切換スイッチ８７が更に前方へと移動すると、スライド部材９１および突出部９１ｇも更に前方へと（図２４の左向きに）移動する。そして、突出部９１ｇが回転プレート９２１の接触区間９２１ｅにおいて点ＣＴ（図２４）等で接触しつつスライド方向に移動すると、これに応じて、回転プレート９２１が軸ＢＸ１周りに更に微小角度ΔΘ回転し、図２０の状態から合計で角度Θｓ回転する（時刻Ｔ１４）。時刻Ｔ１２以後においては、回転プレート９２１と回転プレート９２２との間に回転角度のずれが生じ、バネ９２ｒによって当該ずれ量に応じた復元力が作用する。この復元力は、後述するように、リンク機構９４を変位規制部材９７ａに向かって押し当てる押当力として作用する。この押当力によってミラー６５ｅは所定の位置に保持される。なお、時刻Ｔ１２から時刻Ｔ１４までの期間においては、回転体９２の回転角度の増大に伴って、ずれを復元しようとする復元力が増大していく。
【０１１６】
更にその後、突出部９１ｇが当該スライド方向において更に前方に移動する際には、突出部９１ｇと回転プレート９２１の外周部（接触区間９２１ｆ）との接触点における接線の方向は、当該スライド方向と略同一になる。換言すれば、図１８および図１９と同様、接触区間９２１ｆは、スライド方向に対して略平行に配置される。そして、突出部９１ｇは、接触区間９２１ｆの直線部分に接触しながらスライド方向において（同じ向き（＋Ｚ向き）に）更に移動する。
【０１１７】
この移動期間においては、回転体９２の回転角度は不変であるので、回転プレート９２２の突出部９２２ａの位置も不変である。そのため、連結部材９３のスライド方向における位置も不変であり、リンク機構９４の回転方向における位置（回転角度）も不変であり、ミラー６５ｅの回転方向における位置（回転角度）も不変である。また特に、ここでは、接触区間９２１ｆの平坦面（平坦部）と突出部９１ｇの平坦面（平坦部）とが、ＸＹ平面に平行な面（水平面）内において「線」状に接触（立体的に表現すると「面接触」）している。換言すれば、突出部９１ｇは、Ｚ方向に略平行な平坦部を有し、当該平坦部において回転体９２に接触している。尚且つ、回転体９２は、時刻Ｔ１４から時刻Ｔ１６（次述）の期間においてＺ方向に略平行になる平坦部を有し、当該平坦部において突出部９１ｇに接触している。したがって、回転プレート９２１の回転がより確実にロックされる。
【０１１８】
その後、突出部９１ｇが更に前方へ移動し、スライド部材９１の側片部９１ｂがベース部材９５の腕部９５ｃに当接して、切換スイッチ８７が前側端にまで移動すると、図１８に示す状態に遷移する（時刻Ｔ１６）。
【０１１９】
このように、（時刻Ｔ１２の後の）時刻Ｔ１４から時刻Ｔ１６までの期間においては、回転体９２の回転角度が一定値に維持された状態で、突出部９１ｇがＺ方向に（＋Ｚ向きに）更に移動する。換言すれば、突出部９１ｇは、回転体９２の角度変更を伴うことなく、Ｚ方向に更に移動する。
【０１２０】
上記のように、突出部９１ｇが接触区間９２１ｆに平行な状態で突出部９１ｇがＺ方向に移動する区間（単に「平行移動区間」、あるいは「空走区間」とも称する）においては（すなわち、時刻Ｔ１４から時刻Ｔ１６においては）、ミラー６５ｅの回転方向における位置（回転角度）は不変である。したがって、ミラー６５ｅの位置を安定的に維持することが可能である。
【０１２１】
これに対して、平行移動区間を設けない場合には、次のような問題が発生する。例えば、切換スイッチ８７が前側端に到達したときに、仮に図２４のような状態であるとすると、変位規制部材９７ａに対するリンク機構９４の押当力が安定せず、ミラー６５ｅの位置（回転角度）が不安定になる。より詳細には、例えば、切換スイッチ８７から手を離したときに、切換スイッチ８７が後方側に若干量移動し、ミラー６５ｅの回転角度が不安定になることが想定される。
【０１２２】
一方、上記のような動作によれば、突出部９１ｇが接触区間９２１ｆに平行に移動する区間においては、ミラー６５ｅの回転方向における位置（回転角度）は不変である。したがって、この実施形態に係る動作によれば、平行移動区間を設けない場合に比べて、ミラー６５ｅの位置（回転角度）を安定的に維持することが可能である。
【０１２３】
また、上記においては、スライド部材９１から回転プレート９２１へと伝達された操作力は、回転プレート９２１に弾性結合された回転プレート９２２を介して更に連結部材９３へと伝達される。したがって、この弾性の存在によって、部品加工精度あるいは環境温度変化に起因する部品大きさのばらつきを吸収して、ミラー６５ｅの角度への影響を低減することが可能である。
【０１２４】
特に、ここでは、バネ９２ｒの弾性力によって、両回転プレート９２１，９２２のずれを基準状態に戻そうとする復元力が作用する。具体的には、回転プレート９２１と回転プレート９２２とのずれ角（Θｓ−Θｔ）に応じた復元力が作用する。この復元力は、リンク機構９４の一部を変位規制部材９７ａに押し当てる押当力として作用する。また特に、上記のような平行移動区間を設けることによれば、回転プレート９２１の位置（回転角度）を安定させることができるので、スライド部材９１と回転体９２との接触部において、その接線方向に垂直な方向であるＸ方向に作用する力を安定化することができる。ひいては、上記の押当力の変動を抑制することが可能である。すなわち、ミラー６５ｅに対して安定的に一定大きさの力を付与し、ミラー６５ｅを安定的に保持することができる。また、その結果、ミラー６５ｅの位置（回転角度）をより正確に位置決めすることが可能である。
【０１２５】
また特に、時刻Ｔ１６以後（あるいは時刻Ｔ１４の直後以後）において操作者による操作力が付与されなくなった際には、バネ９４ｒによる弾性力等をミラー６５ｅの保持力として利用して、ミラー６５ｅの回転角度を安定させることができる。バネ９４ｒによるこの弾性力（復元力）は、回転プレート９２１と回転プレート９２２との位置ずれ（詳細には回転角度のずれ）に起因して発生する力である。また、当該弾性力に対抗して、突出部９１ｇと接触部９２１ｃの接触区間９２１ｆとの間には、Ｘ方向の垂直抗力成分としての押圧力が発生している。換言すれば、Ｘ方向において、弾性力に釣り合う大きさの押圧力が作用している。また、当該弾性力に対抗して、回転プレート９２２の突出部９２２ａと連結部材９３の突出部９３ａとの間、およびリンク機構９４のレバー部９４ａと変位規制部材９７ａとの間にも押圧力が発生している。すなわち、弾性力に釣り合う大きさの押圧力が発生している。したがって、上述のように回転プレート９２１の回転を確実にロックした上で、このような押圧力を発生させることによれば、ミラー６５ｅをさらに安定的に保持することが可能である。
【０１２６】
＜ライブビュー位置からＯＶＦ位置への動作＞
上記においては、切換スイッチ８７がＯＶＦ位置ＯＰからライブビュー位置ＬＰへと移動する場合について例示したが、切換スイッチ８７が逆にライブビュー位置ＬＰからＯＶＦ位置ＯＰへと移動する場合も同様の動作が行われる。ただし、回転体９２が逆向き（具体的には、時計回り）に回転する点、突出部９１ｇが接触区間９２１ｅ，９２１ｆではなく接触区間９２１ｇ，９２１ｈに接触する点、回転プレート９２２の突出部９２２ａが連結部材９３の突出部９３ｂに接触する点、およびリンク機構９４のレバー部９４ａが変位規制部材９７ｂに接触する点などにおいて上記の動作と相違する。
【０１２７】
まず、切換スイッチ８７がライブビュー位置ＬＰから中間位置ＭＰへと移動したものとする（時刻Ｔ２０）（図２０参照）。
【０１２８】
その後、切換スイッチ８７が更に後方（−Ｚ側）へと移動すると、スライド部材９１も更に後方へと移動するとともに、突出部９１ｇが回転体９２の接触区間９２１ｇに接触しつつ後方（−Ｚ側）に移動する。突出部９１ｇは、スライド方向（Ｚ方向）に対して斜行する接触区間９２１ｇに接触しつつ、スライド方向に直進移動する。そのため、切換スイッチ８７に付与される操作力は突出部９１ｇおよび接触区間９２１ｇを介して回転プレート９２１へと伝達され、回転プレート９２１は軸ＢＸ１を中心として時計回りに回転する。
【０１２９】
また、回転プレート９２１に一体化された回転プレート９２２も同様に軸ＢＸ１を中心として時計回りに回転する。そして、回転プレート９２２の突出部９２２ａも時計回りに回転し、当該突出部９２２ａは、連結部材９３の突出部９３ｂに接触する。この接触によって、回転体９２から連結部材９３へと押圧力が伝達され、この押圧力によって連結部材９３が後方に移動する。このようにして、連結部材９３は、回転体９２の軸ＢＸ１周りの（時計回りの）回動動作に応じてスライド方向においてカメラ後方（−Ｚ側）へ向けて移動する。
【０１３０】
この連結部材９３の移動動作は、リンク機構９４を介してミラー６５ｅを軸ＡＸ１周りに回転させて、図１６と同様のミラー角度から図１１と同様のミラー角度へと、ミラー６５ｅの角度を変更する。これにより、ミラー６５ｅの起き上がり角度（水平面に対する角度）は、より大きな値に変更される。
【０１３１】
そして、或る時刻Ｔ２２において、リンク機構９４のレバー部９４ａが図１１と同様に変位規制部材９７ｂに当接し、同じ向きの回転が規制される。すなわち、ミラー６５ｅは、その起き上がり角度が最も大きい状態（図４および図１１参照）になる。
【０１３２】
以上のようにして、時刻Ｔ２０から時刻Ｔ２２に至る期間においては、スライド部材９１の突出部９１ｇが、回転体９２（詳細には回転プレート９２１）の外周部における接触区間９２１ｇに接触しつつ移動するとともに、回転体９２が所定軸ＢＸ１周りに角度Θｔ回転する。
【０１３３】
その後、さらに、切換スイッチ８７が更に後方へと移動すると、スライド部材９１および突出部９１ｇも更に後方へと移動する。そして、これに応じて、回転プレート９２１が軸ＢＸ１周りに（時計回りに）更に回転し、図２０の状態から合計で角度Θｓ回転する（時刻Ｔ２４）。時刻Ｔ２２以後においては、回転プレート９２１と回転プレート９２２との間に回転角度のずれが生じ、バネ９２ｒによって当該ずれ量に応じた復元力が作用する。この復元力は、リンク機構９４を変位規制部材９７ｂに向かって押し当てる押当力として作用する。この押当力によってミラー６５ｅは所定の位置に保持される。なお、時刻Ｔ２２から時刻Ｔ２４までの期間においては、回転体９２の回転角度の増大に伴って、ずれを復元しようとする復元力が増大していく。
【０１３４】
更にその後、突出部９１ｇが当該スライド方向において更に後方に移動する際には、突出部９１ｇと回転プレート９２１の外周部（接触区間９２１ｈ）との接触点における接線の方向は、当該スライド方向と略同一になる。換言すれば、図１３および図１４と同様、接触区間９２１ｈは、スライド方向に対して略平行に配置される。そして、突出部９１ｇは、接触区間９２１ｈの直線部分に接触しながらスライド方向において（同じ向き（−Ｚ向き）に）更に移動する。
【０１３５】
この移動期間（平行移動期間）においては、回転体９２の回転角度は不変であるので、回転プレート９２２の突出部９２２ａの位置も不変である。そのため、連結部材９３のスライド方向における位置も不変であり、リンク機構９４の回転方向における位置（回転角度）も不変であり、ミラー６５ｅの回転方向における位置（回転角度）も不変である。また特に、ここでは、接触区間９２１ｈの平坦面（平坦部）と突出部９１ｇの平坦面（平坦部）とが、ＸＹ平面に平行な面（水平面）内において「線」状に接触（立体的に表現すると「面接触」）している。換言すれば、突出部９１ｇは、Ｚ方向に略平行な平坦部を有し、当該平坦部において回転体９２に接触している。尚且つ、回転体９２は、時刻Ｔ２４から時刻Ｔ２６の期間においてＺ方向に略平行になる平坦部を有し、当該平坦部において突出部９１ｇに接触している。したがって、回転プレート９２１の回転がより確実にロックされる。
【０１３６】
その後、突出部９１ｇが更に後方へ移動し、スライド部材９１の側片部９１ｃがベース部材９５の腕部９５ｄに当接して、切換スイッチ８７が後側端にまで移動すると、図１３に示す状態に遷移する（時刻Ｔ２６）。
【０１３７】
このように、（時刻Ｔ２２の後の）時刻Ｔ２４から時刻Ｔ２６までの期間においては、回転体９２の回転角度が一定値に維持された状態で、突出部９１ｇがＺ方向に（−Ｚ向きに）更に移動する。換言すれば、突出部９１ｇは、回転体９２の角度変更を伴うことなく、Ｚ方向に更に移動する。
【０１３８】
以上のようなＯＶＦ状態への切換動作によれば、上述のライブビュー状態への切換動作と同様の効果を得ることができる。
【０１３９】
例えば、突出部９１ｇが接触区間９２１ｈに平行な状態で、突出部９１ｇがＺ方向に移動する区間においては（すなわち、時刻Ｔ２４から時刻Ｔ２６においては）、ミラー６５ｅの回転方向における位置（回転角度）は不変である。したがって、ミラー６５ｅの位置を安定的に維持することが可能である。
【０１４０】
また、ここでは、両回転プレート９２１，９２２のずれを基準状態に戻そうとする復元力（バネ９２ｒの弾性力）は、リンク機構９４の一部を変位規制部材９７ｂに押し当てる押当力として作用する。また特に、上記のような平行移動区間を設けることによれば、回転プレート９２１の位置（回転角度）を安定させることができるので、スライド部材９１と回転体９２との接触部において、その接線方向に垂直な方向であるＸ方向に作用する力を安定化することができる。ひいては、上記の押当力の変動を抑制することが可能である。すなわち、ミラー６５ｅに対して安定的に一定大きさの力を付与し、ミラー６５ｅを安定的に保持することができる。また、その結果、ミラー６５ｅの位置（回転角度）をより正確に位置決めすることが可能である。
【０１４１】
＜５．アイピースシャッタ＞
＜５−１．アイピースシャッタの構成＞
この撮像装置１においては、アイピースシャッタ１６の開閉動作も、切換スイッチ８７の移動動作に機械的に連動して行われる。換言すれば、アイピースシャッタ１６の開閉動作も、上記の角度変更機構の動作に機械的に連動して行われる。具体的には、切換スイッチ８７の移動に伴う回転体９２（詳細には回転プレート９２１，９２３）の回転動作に連動して、アイピースシャッタ１６が開閉される。
【０１４２】
まず、図２５〜図２７および図１２等を参照して、アイピースシャッタ１６の構成について説明する。
【０１４３】
アイピースシャッタ（遮光板）１６は、ベースプレート１６ｚと、第１プレート１６ａと、第２プレート１６ｂとを備えている。図２５は、ベースプレート１６ｚを示す図であり、図２６は、第１プレート１６ａを示す図であり、図２７は、第２プレート１６ｂを示す図である。
【０１４４】
ベースプレート１６ｚは、カメラ本体部側（詳細にはベース部材９５）に固定されている（図３０の斜視図も参照）。一方、第１プレート１６ａおよび第２プレート１６ｂは、ベースプレート１６ｚに対して回転軸ＣＸ１周りに回動自在に設けられている。詳細には、第１プレート１６ａの円孔部１６ｇと第２プレート１６ｂの円孔部１６ｈとが、ベースプレート１６ｚの円孔部１６ｆを貫通する軸部材（不図示）に遊嵌されている。また、ベースプレート１６ｚ、第１プレート１６ａ、第２プレート１６ｂには、それぞれ、軸ＣＸ１の下方において所定大きさの孔１６ｃ,１６ｄ，１６ｅが設けられている。そして、これらの孔１６ｃ,１６ｄ，１６ｅを、回転プレート９２３の突出部９２３ａが貫通している。また、当該３つの孔１６ｃ,１６ｄ，１６ｅの大きさは、回転プレート９２３の突出部９２３ａの移動方向（Ｘ方向）において、互いに異なっている。具体的には、Ｘ方向において、第２プレート１６ａの孔１６ｅが最も小さく、ベースプレート１６ｚの孔１６ｃが最も大きい。また、第１プレートの孔１６ｄは、Ｘ方向において、孔１６ｅよりも大きく、孔１６ｃよりも小さい。
【０１４５】
＜５−２．アイピースシャッタの動作＞
＜概要＞
図１２に示すように、回転プレート９２３の突出部９２３ａが孔１６ｃの左端（＋Ｘ側）に存在するとき（例えば、切換スイッチ８７がＯＶＦ位置ＯＰに存在するとき）には、突出部９２３ａは、孔１６ｄ，１６ｅの左端に存在する。このとき、第１プレート１６ａおよび第２プレート１６ｂは、ベースプレート１６ｚの窓部（中空部）１６ｗを遮断しない上方位置、すなわち、アイピースシャッタ１６を開放する位置（開放位置）に存在する。
【０１４６】
その後、回転プレート９２３の回転動作に伴って突出部９２３ａが孔１６ｃの右端側（−Ｘ側）に移動する際には、突出部９２３ａは、各孔１６ｄ，１６ｅの−Ｘ側端に向けて移動した後、切換スイッチ８７からの操作力を両プレート１６ａ，１６ｂに伝達しつつ更に移動する。この突出部９２３ａの移動動作に伴って、第１プレート１６ａおよび第２プレート１６ｂは、軸ＣＸ１を中心に反時計回りに回転する。
【０１４７】
そして、図１７に示すように、回転プレート９２３の突出部９２３ａが孔１６ｃの右端（−Ｘ側）に存在するとき（例えば、切換スイッチ８７がライブビュー位置ＬＰに存在するとき）には、突出部９２３ａは、孔１６ｄ，１６ｅの右端に存在する。このとき、第１プレート１６ａおよび第２プレート１６ｂは、ベースプレート１６ｚの窓部（中空部）１６ｗを遮蔽する下方位置、すなわち、アイピースシャッタ１６を閉鎖する位置（閉鎖位置）に存在する。
【０１４８】
なお、逆に、回転プレート９２３の逆向きの回転動作に伴って突出部９２３ａが孔１６ｃの左端側（＋Ｘ側）に移動する際には、突出部９２３ａは、各孔１６ｄ，１６ｅの＋Ｘ側端に向けて移動した後、切換スイッチ８７からの操作力を両プレート１６ａ，１６ｂに伝達しつつ更に移動する。この突出部９２３ａの移動動作に伴って、第１プレート１６ａおよび第２プレート１６ｂは、軸ＣＸ１を中心に時計回りに回転する。
【０１４９】
このアイピースシャッタ１６の開閉動作は、切換スイッチ８７の移動動作に機械的に連動して行われるので、アイピースシャッタ１６の開閉動作を光路切換動作に対して確実に同期させることができる。
【０１５０】
＜閉鎖動作＞
次に、図１２および図１７を中心に図１０〜図２４等を参照して、アイピースシャッタ１６の動作について、さらに詳細に説明する。
【０１５１】
例えば、切換スイッチ８７がＯＶＦ位置ＯＰから撮像装置１の前方へ向けてライブビュー位置ＬＰにまで移動する場合には、アイピースシャッタ１６の閉鎖動作が実行される（図１２→図１７）。
【０１５２】
具体的には、切換スイッチ８７がＯＶＦ位置ＯＰ（図１３）から中間位置ＭＰ（図２０）を経て更に前方へと移動すると、上述のようにスライド部材９１および回転プレート９２１，９２２が移動する。そして、水平面（ＸＺ平面に平行な面）において、回転プレート９２３も回転プレート９２１と同じ向き（反時計回り）に軸ＢＸ１を中心に回動する。
【０１５３】
そして、回転プレート９２１の回転角度が角度Θsに到達する前（ここでは、回転プレート９２１の回転角度がほぼ角度Θtであるとき）に、図２４に示すように、回転プレート９２３の突出部９２３aがベースプレート１６ｚの孔１６ｃの一端（−Ｘ側の端）に接触する（時刻Ｔ１２）。そのため、回転プレート９２３の当該向きへの（反時計回りの）回転が規制される。また、このとき、突出部９２３ａは、孔１６ｄ，１６ｅの一端（−Ｘ側の端）に接触しており、アイピースシャッタ１６は、図１７と同様、既に閉鎖状態になっている。
【０１５４】
その後、さらに切換スイッチ８７が更に前方へと移動し、回転プレート９２１が軸ＢＸ１周りに反時計回りに回転し、図２０の状態から合計で角度Θｓ回転する（時刻Ｔ１４）。このとき、回転プレート９２１と回転プレート９２３との間に回転角度のずれが生じ、バネ９２ｓによって当該ずれ量に応じた復元力が作用する。この復元力は、突出部９２３ａを孔１６ｃ，１６ｄ，１６ｅの一端（−Ｘ側）に向かって押し当てる押当力として作用する。この押当力によってアイピースシャッタ１６（特にプレート１６ａ，１６ｂ）は所定の位置に保持される。
【０１５５】
更にその後、切換スイッチ８７が更に前方へと移動する期間（すなわち、上記の平行移動期間）においては、上述のように回転体９２の回転角度は不変であるので、回転プレート９２３の突出部９２３ａの位置も不変である。そのため、アイピースシャッタ１６の（軸ＣＸ周りの）回転角度も不変である。
【０１５６】
その後、突出部９１ｇが更に前方へ移動し、スライド部材９１の側片部９１ｂがベース部材９５の腕部９５ｃに当接して、切換スイッチ８７が前側端にまで移動すると、図１８に示すような状態に遷移する（時刻Ｔ１６）。
【０１５７】
このように、上記の「平行移動区間」においては、アイピースシャッタ１６の回転方向における位置（回転角度）は不変である。したがって、アイピースシャッタ１６の位置を安定的に維持することが可能である。
【０１５８】
これに対して、平行移動区間を設けない場合には、次のような問題が発生し得る。例えば、切換スイッチ８７が前方端に到達したときに、仮に図２４のような状態であるとすると、突出部９２３ａによる押当力が安定せず、アイピースシャッタ１６（詳細には第１プレート１６ａおよび第２プレート１６ｂ）の位置（回転角度）が不安定になる。より詳細には、例えば、切換スイッチ８７から手を離したときに、切換スイッチ８７が後方側に若干量移動し、アイピースシャッタ１６の回転角度が不安定になることが想定される。
【０１５９】
一方、上記のような動作によれば、平行移動期間においては、回転プレート９２１および回転プレート９２３の回転方向における位置（回転角度）は不変であり、アイピースシャッタ１６（詳細には各プレート１６ａ，１６ｂ）の回転角度も一定である。したがって、この実施形態に係る動作によれば、平行移動区間を設けない場合に比べて、アイピースシャッタ１６の位置（回転角度）を安定的に維持することが可能である。
【０１６０】
また、上記においては、スライド部材９１から回転プレート９２１へと伝達された操作力は、回転プレート９２１に弾性結合された回転プレート９２３を介して更にプレート１６ａ，１６ｂへと伝達される。したがって、この弾性の存在によって、部品加工精度あるいは環境温度変化に起因する部品大きさのばらつきを吸収することが可能である。
【０１６１】
特に、ここでは、バネ９２ｓの弾性力によって、両回転プレート９２１，９２３のずれを基準状態に戻そうとする復元力が作用する。具体的には、回転プレート９２１と回転プレート９２３とのずれ角（Θｓ−Θｔ）に応じた復元力が作用する。この復元力は、突出部９２３ａを孔１６ｃ，１６ｄ，１６ｅの一端に押し当てる押当力として作用する。また特に、平行移動区間を設けることによれば、回転プレート９２１の位置（回転角度）を安定させることができるので、この押当力の変動を抑制することが可能である。すなわち、アイピースシャッタ１６に対して安定的に一定大きさの力を付与し、アイピースシャッタ１６を安定的に保持することができる。また、その結果、アイピースシャッタ１６の位置（回転角度）をより正確に位置決めすることが可能である。
【０１６２】
＜開放動作＞
上記においては、切換スイッチ８７がＯＶＦ位置ＯＰからライブビュー位置ＬＰへと移動する場合について例示したが、切換スイッチ８７が逆にライブビュー位置ＬＰからＯＶＦ位置ＯＰへと移動する場合も同様の動作が行われる。ただし、回転プレート９２３の突出部９３ａが、孔１６ｃの他端側（＋Ｘ側の端）に接触するまで、孔１６ｄ，１６ｅに接触しつつ＋Ｘ側に移動して、プレート１６ａ，１６ｂを時計回りに回転させる点などにおいて相違する。また、切換スイッチ８７がライブビュー位置ＬＰから撮像装置１の後方へ向けてＯＶＦ位置ＯＰにまで移動する場合には、アイピースシャッタ１６の開放動作が実行される（図１７→図１２）。
【０１６３】
具体的には、切換スイッチ８７がライブビュー位置ＬＰから中間位置ＭＰ（図２０）を経て更に後方へと移動すると、上述のようにスライド部材９１および回転プレート９２１，９２２が移動する。そして、水平面（ＸＺ平面に平行な面）において、回転プレート９２３も回転プレート９２１と同じ向き（時計回り）に軸ＢＸ１を中心に回動する。
【０１６４】
そして、回転プレート９２１の回転角度が角度Θsに到達する前（ここでは、回転プレート９２１の回転角度がほぼ角度Θtであるとき）に、回転プレート９２３の突出部９２３aがベースプレート１６ｚの孔１６ｃの他端（＋Ｘ側の端）に接触する（時刻Ｔ２２）。そのため、回転プレート９２３の当該向きへの（時計回りの）回転が規制される。また、このとき、突出部９２３ａは、孔１６ｄ，１６ｅの他端（＋Ｘ側の端）に接触しており、アイピースシャッタ１６は、図１２と同様、既に開放状態になっている。
【０１６５】
その後、さらに切換スイッチ８７が更に後方へと移動し、回転プレート９２１が軸ＢＸ１周りに時計回りに回転し、図２０の状態から合計で角度Θｓ回転する（時刻Ｔ２４）。このとき、回転プレート９２１と回転プレート９２３との間に回転角度のずれが生じ、バネ９２ｓによって当該ずれ量に応じた復元力が作用する。この復元力は、突出部９２３ａを孔１６ｃ，１６ｄ，１６ｅの他端（＋Ｘ側）に向かって押し当てる押当力として作用する。この押当力によってアイピースシャッタ１６は所定の位置に保持される。
【０１６６】
更にその後、切換スイッチ８７が更に後方へと移動する期間（すなわち、上記の平行移動期間）においては、上述のように回転体９２の回転角度は不変であるので、回転プレート９２３の突出部９２３ａの位置も不変である。そのため、アイピースシャッタ１６の（軸ＣＸ周りの）回転角度も不変である。
【０１６７】
その後、突出部９１ｇが更に後方へ移動し、スライド部材９１の側片部９１ｃがベース部材９５の腕部９５ｄに当接して、切換スイッチ８７が後側端にまで移動すると、図１３に示すような状態に遷移する（時刻Ｔ２６）。
【０１６８】
以上のような開放動作によれば、閉鎖動作時と同様の効果を得ることができる。また特に、この開放動作時においては、アイピースシャッタ１６のプレート１６ａ，１６ｂが自重等で下降することを防止することができる。
【０１６９】
＜６．その他＞
以上、この発明の実施の形態について説明したが、この発明は上記説明した内容のものに限定されるものではない。
【０１７０】
たとえば、上記実施形態においては、「平行移動区間」では、接触区間９２１ｆの平坦面と突出部９１ｇの平坦面とが上面視において「直線」で接触する場合を例示した（図１８および図１９参照）が、これに限定されない。
【０１７１】
一例としては、上面視において、回転プレート９２１の接触区間９２１ｆとスライド部材９１の突出部９１ｇとのうちの一方が「直線」で接触し、他方が「点」で接触するようにしてもよい。
【０１７２】
より詳細には、図２８に示すように、上面視において、回転プレート９２１において接触区間９２１ｆに設けられた点接触部分（突起部分）に対して、上記と同様の突出部９１ｇの平坦面９１ｈが「線」で接触するようにしてもよい。このとき、突出部９１ｇは、接触区間９２１ｆ内の点接触部分でのみ接触し、この点接触部分における接線方向は、スライド方向と略同一である。これによれば、突出部９１ｇは、回転体９２を回転させることなく、スライド方向に移動することができる。
【０１７３】
あるいは、逆に、図２９に示すように、上面視において、上記と同様の直線状の接触区間９２１ｆに対して、軸形状に形成された突出部９１ｇが「点」で接触するようにしてもよい。このとき、突出部９１ｇは、接触区間９２１ｆ内の所定位置で点接触し、この点接触部分における接線方向は、スライド方向と略同一である。これによれば、突出部９１ｇは、回転体９２を回転させることなく、スライド方向に移動することができる。
【０１７４】
このように、回転体９２（回転プレート９２１）が所定角度Θｓ回転した後において、突出部９１ｇと接触部９２１ｃの接触区間９２１ｆとのうちの少なくとも一方が、スライド方向（Ｚ方向）に平行であれば十分である。
【０１７５】
なお、突出部９１ｇと接触部９２１ｄの接触区間９２１ｈとの関係に関しても同様の改変が可能である。
【０１７６】
また、上記実施形態においては、ミラー６５ｅの角度を変更する場合を例示したが、これに限定されない。例えば、ペンタミラー６５の複数の反射面のうち、ミラー６５ｅ以外の反射面の角度を変更する際に、上記の思想を適用するようにしてもよい。
【０１７７】
また、上記実施形態においては、操作者が切換スイッチ８７に対して操作力を加え、当該操作力に応じてスライド部材９１等が移動する場合について例示したが、これに限定されない。例えば、モータ等による駆動力を用いてスライド部材９１に対する操作力を加え、スライド部材９１を移動させるようにしてもよい。特に、ファインダ窓１０の近傍に近接感知センサ（アイセンサ）を設けておき、当該アイセンサが操作者の眼の近接を感知すると、駆動部（モータ等）がその駆動力によりスライド部材９１を移動させるようにしてもよい。
【図面の簡単な説明】
【０１７８】
【図１】撮像装置の上面外観図である。
【図２】撮像装置の背面外観図である。
【図３】撮像装置の機能構成を示すブロック図である。
【図４】撮像装置の断面図（ＯＶＦ方式の構図決め動作時）である。
【図５】撮像装置の断面図（ＥＶＦ方式の構図決め動作時）である。
【図６】撮像装置の断面図（ＯＶＦ方式の構図決め動作後の露光動作時）である。
【図７】撮像装置の上面外観図である。
【図８】撮像装置の内部構成を示す斜視図である。
【図９】角度変更機構の分解斜視図である。
【図１０】撮像装置の内部構成を示す上面図である（ＯＶＦ状態）。
【図１１】当該内部構成を左側方から見た図である（ＯＶＦ状態）。
【図１２】当該内部構成を背面側から見た図である（ＯＶＦ状態）。
【図１３】図１０の一部拡大図である（ＯＶＦ状態）。
【図１４】図１３の一部をさらに拡大した図である（ＯＶＦ状態）。
【図１５】撮像装置の内部構成を示す上面図である（ライブビュー状態）。
【図１６】当該内部構成を左側方から見た図である（ライブビュー状態）。
【図１７】当該内部構成を背面側から見た図である（ライブビュー状態）。
【図１８】図１５の一部拡大図である（ライブビュー状態）。
【図１９】図１８の一部をさらに拡大した図である（ライブビュー状態）。
【図２０】角度変更機構付近を示す拡大上面図である（中間状態）。
【図２１】図２０の一部を更に拡大した図である（中間状態）。
【図２２】角度変更機構の断面図である（中間状態）。
【図２３】別断面における断面図である（中間状態）。
【図２４】角度変更機構付近を示す拡大上面図である（その他の状態）。
【図２５】アイピースシャッタのベースプレートを示す図である。
【図２６】アイピースシャッタのプレートを示す図である。
【図２７】アイピースシャッタの別のプレートを示す図である。
【図２８】変形例に係る角度変更機構を示す図である。
【図２９】別の変形例に係る角度変更機構を示す図である。
【図３０】撮像装置の内部構成を示す斜視図である。
【符号の説明】
【０１７９】
１  撮像装置
７  撮像素子
１６  アイピースシャッタ
６５  ペンタミラー
６５ｅ  ミラー（可動反射面）
８７  切換スイッチ
９１  スライド部材
９１ｇ，９２２ａ    突出部
９２  回転体
９２ｒ，９２ｓ  バネ
９２１，９２２，９２３  回転プレート
９２１ｃ，９２１ｄ  接触部
９２１ｅ，９２１ｆ，９２１ｇ，９２１ｈ  接触区間
９３  連結部材
９４  リンク機構
９５  ベース部材
９６  スライド軸
９７ａ，９７ｂ  変位規制部材
【図１】
2009180922.tif 000003
【図２】
2009180922.tif 000004
【図３】
2009180922.tif 000005
【図４】
2009180922.tif 000006
【図５】
2009180922.tif 000007
【図６】
2009180922.tif 000008
【図７】
2009180922.tif 000009
【図８】
2009180922.tif 000010
【図９】
2009180922.tif 000011
【図１０】
2009180922.tif 000012
【図１１】
2009180922.tif 000013
【図１２】
2009180922.tif 000014
【図１３】
2009180922.tif 000015
【図１４】
2009180922.tif 000016
【図１５】
2009180922.tif 000017
【図１６】
2009180922.tif 000018
【図１７】
2009180922.tif 000019
【図１８】
2009180922.tif 000020
【図１９】
2009180922.tif 000021
【図２０】
2009180922.tif 000022
【図２１】
2009180922.tif 000023
【図２２】
2009180922.tif 000024
【図２３】
2009180922.tif 000025
【図２４】
2009180922.tif 000026
【図２５】
2009180922.tif 000027
【図２６】
2009180922.tif 000028
【図２７】
2009180922.tif 000029
【図２８】
2009180922.tif 000030
【図２９】
2009180922.tif 000031
【図３０】
2009180922.tif 000032